(57)【要約】【課題】  情報通信システムの入力項目の入力において、該当データの抽出の為、コードや読み仮名の選別操作、登録テーブル選定操作、仮名漢字変換操作等、入力過程で、煩雑な入力操作が行われ、熟練を要した。【解決手段】コード又は、読み仮名の区別なく、情報通信システム１の入力を行い、入力毎に判別し、認識する認識処理手段２と、該当登録データ３を抽出する為に登録テーブル群４の該当登録テーブル５が選定され、該当登録テーブル５内の該当データ存在域６が選別される選別処理手段７と、該当データ存在域６の収斂状況を把握し、支援する支援処理手段８と、表示処理手段９の各手段が結合される。【選択図】図１
2005108175.tif 000002
【特許請求の範囲】
【請求項１】
情報通信システムの入力項目の入力において、コード又は読み仮名の区別なく入力を行い、単数又は複数の文字入力毎に数字又は文字記号かを判別し、それに従い該当データのコード又は読み仮名かを、認識する認識処理手段と、該当登録データを抽出する為に、項目に対応した登録テーブル群の該当登録テーブルが選定され、該当登録テーブル内の該当データ存在域が選別される選別処理手段と、その選別状況に従って、該当データ存在域の収斂状況を把握し該当データの決定を支援する支援処理手段と、それを表示する表示処理手段を持ち処理状況に適合した各手段が結合されることを特徴とする情報通信システムの入力方法。
【請求項２】
変換切り替えなく変換する変換処理手段をもつことを特徴とする請求項１に記載の情報通信システムの入力方法。
【請求項３】
前記、該当登録テーブルの関連索引を別に設け関連索引からも該当データ存在域が選別される等、関連索引テーブル等の関連索引処理手段をもつことを特徴とする請求項１に記載の情報通信システムの入力方法。
【請求項４】
前記、関連索引として社会慣習呼称等、一般生活環境に伴う文言等が集合処理される記憶支援処理手段を持つことを特徴とする請求項３に記載の情報通信システムの入力方法。
【請求項５】
前記、関連索引が文言等の使用状況により選別機能が増進する等、関連選別処理手段を持つことを特徴とする請求項３に記載の情報通信システムの入力方法。
【請求項６】
前記記載の情報通信システムが、電算機帳票システムである事を特徴とする、請求項１に記載の情報通信システムの入力方法。
【請求項７】
前記記載の情報通信システムが、インターネットである事を特徴とする請求項１に記載の情報通信システムの入力方法。
【請求項８】
前記記載のインターネットにおいてＵＲＬ入力である事を特徴とする請求項５に記載の情報通信システムの入力方法。
【請求項９】
前記記載の入力がワープロ又は携帯電話である事を特徴とする請求項１に記載の情報通信システムの入力方法。
【発明の詳細な説明】
【技術分野】
【０００１】  本発明は、情報通信システムの入力方法に関するものであり、より詳細には、情報通信システムの入力方法として、コードや読み仮名の区別なく自由に入力し情報通信システム自体が、人間の記憶等能力を支援し、宛も、人間との間に対話しながら、入力打数低減等、負担の軽減を目的に、登録の該当データを選出する機能を持つように構成された情報通信システムの入力方法に関するものである。
【背景技術】
【０００２】  情報通信システムの入力項目の入力として、コードや読み仮名の入力は、それぞれ項目毎に、区別され入力される入力方法が広く実用に供されている。コードであれば英数字を入力し、名称等の漢字を含む日本語であれば読み仮名を入力する様に、項目ごとに決められている。一般的に普及しているＯＳが提供している画面作成機能では、前記に従った項目入力しか入力出来ない。コード入力の場合、該当するデータ、例えば、品名に対するコードを入力しようとすると、品名からコードをコード表で見たり、テーブルを呼び出し、該当品名に相当するコードを選出していた。人間がコード表を見て、該当コードを選出し入力したり、既に記憶しているコードを直接入力することも現場では行われている。テーブルを呼び出す場合は、テーブル呼び出を行う為の操作手順を行う必要がある。入力項目に対する英数字か読み仮名を伴う日本語入力なのかの区別が、初めから決められており、それぞれの混合入力を受けつけない様に、指定されている。これは、入力時点でのデータの完全性を確保する為に、従来から、情報通信システ厶に、用いられて来た方法である。入力がコードであるべき項目に対しては、コード以外、入らない様に、英数字を指定し、それ以外、受けつけないほうが、エラーの面から考えて適切であるとする事が従来からの考え方であった。これは、大型コンピュータの全盛時代、簡単な入力エラーの為に、高価なコンピュータを停止することが起こる等、入力項目に対して出来る限り適切な入力を要求し制限を設ける様に設定していたことの踏襲的な方法である。  これは、入力する人間に加重がかかる入力方法であり、入力専従員の能力が要求される入力方法でもある。又、入力専従員の経験に従い、入力が容易になる入力方法である。例えば、常時使用する品名に対するコードは頭で記憶し、即応的に該当コードを選別し、入力するので速く入力出来るが相当な熟練を要した。
【発明の開示】
【発明が解決しようとする課題】
【０００３】  本願発明者は、情報通信システムの入力項目の入力において、入力者がコード入力時、該当品名に対するコードの選定に苦労していることを、多く、関知しており、人間が該当コードを選定する場合、日常、どの様に行っているかに関心をもった。該当品名は、製品名、類別、製造会社名、型名等、従属情報を持っており、更に、当事者間の呼称、通称もあり、多数ある場合、全部を記憶するのは不可能である。色々な連想によって選別され、選定され、該当品名に到達する。
この様な、選定過程を得て、初めてデータとして確定されるのが、日常選定形態である。入力項目が、該当要件に対応した入力形態に固定されていることに固執した入力方法が、人間の思考範囲を制限し、入力作業の効率化を阻害しており、それに対して積極的に究明し対応した入力方法はなかった。コードを人間が選定し入力するのではなく、コードの選定過程も含めた自由な入力が出来、人間の思考過程に従う様に対応したり、又、変換切り替え無く変換し入力打数を低減する等、積極的に人間の負担を軽減する入力方法はなかった。入力熟練者が得られない場合、入力効率は極端に低下する。近年、派遣社員や障害者が多用される様になったが入力の熟練に時間を要し、雇用者の期待に答えられない場合が多く、これは熟練能力や能力障害の問題とされ、雇用の促進上の隘路ともなった。
本発明は、かかる課題に鑑みてなされたものであり、その目的とするところは人間の思考過程に従い、英数字や読み仮名等の区別無く、自由に入力し、熟練度に左右されることを低減し、人間主導のマン・マシーン・インターフェースの効果を有効に発揮し得るようにした情報通信システムの入力方法を提供することにある。
【課題を解決するための手段】
【０００４】  本発明者は、上記目的を達成すべく、鋭意研究を重ねた結果、入力項目に人間の思考過程に従い、英数字や読み仮名等の区別無く、自由に入力する様にして、入力項目の入力文字制限の自由度を拡大し、人間の思考負担を軽減し、入力打数を低減し得ることを見出し、かかる見知に基づき本発明を達成したものである。
即ち、本発明は、情報通信システムの入力項目の入力において、コード又は読み仮名の区別なく入力を行い、単数又は複数の文字入力毎に、数字又は、文字記号かを、判別し、それに従い、該当データのコード又は読み仮名かを、認識する認識処理手段と、該当登録データを抽出する為に、項目に対応した登録テーブル群の該当登録テーブルが選定され、該当登録テーブル内の該当データ存在域が選別される選別処理手段と、その選別状況に従って、該当データ存在域の収斂状況を把握し該当データの決定を支援する支援処理手段と、それを表示する表示処理手段を持ち、処理状況に適合した各手段が結合されることを特徴とする情報通信システムの入力方法を提供する。
本発明の上記構成によれば、入力時、コードと読み仮名を切り替えて入力する必要がなくなる。入力するほど、候補一覧が絞られる。即ち、該当データ存在域が収斂される。入力途中に、候補一覧から選択することも出来る。読み仮名は、漢字変換することなく直接入力することが出来る。画面上の、どの入力項目からでも入力することが出来る。選別途中に、どのテーブルが選定されているのかを表示することも出きる。選別途中に、表示されたテーブルのデータ階層状態や、該当データ存在域の収斂状況を把握し、該当データの決定を支援する事が出来、その状況を表示することが出来る。
好ましくは、前記、情報通信システムの入力方法は、変換切り替えなく、変換する変換処理手段を備え、或いは、該当登録テーブルの関連索引を別に設け、関連索引からも該当データ存在域が選別される等、関連索引テーブル等の関連索引処理手段を備え、或いは、関連索引として社会慣習による呼称等一般生活環境に伴う文言等が集合処理される記憶支援処理手段を備え、或いは関連索引が文言等の使用状況により選別機能が増進する等、関連選別処理手段を備え、或いは前記、情報通信システムが電算機帳票システムである事を特徴とする様、適応した処理手段を備え、或いは、情報通信システムがインターネットである事を特徴とする様、適応した処理手段を備え、或いは、インターネットにおいてＵＲＬ入力である事を特徴とする様、適応した処理手段を備え、或いは、前記、情報通信システムの入力方法の入力がワープロ又は携帯電話である事を特徴とする様、適応した処理手段を備える。
【発明の効果】
【０００５】  発明は以上のような構成であるから、これを使用する時は、コードや読み仮名の区別なく自由に入力し情報通信システム自体が、人間の記憶等能力を支援し、宛も、人間との間に対話しながら、入力打数低減等、負担の軽減を目的に、登録の該当データを選出する機能をもつ。コードを人間が選定し入力するのではなく、コードの選定過程も含めた自由な入力が出来、人間の思考過程に従う様に対応したり、又、変換切り替え無く変換し入力打数を低減する等、積極的に人間の負担を軽減する。特に漢字変換等の手動変換操作を無くし、自動的に、変換し表現される事により、大幅な能率向上となる。又、入力効率を積極的に把握することにより、更なる効率上昇に対応したり、音声等の入力手段による入力等、障害者、高齢者用の入力に積極的に寄与するものである。以上により、入力作業は容易になり非熟練者や、障害者も、効率的な入力が可能となる。この為、雇用、労働流通、福祉等を促進し、構造改革社会に寄与する絶大な効果をもつ。
【発明を実施するための最良の形態】
【０００６】  本発明の好適な実施形態によれば、上記、情報通信システムの入力項目の入力において、上記、認識処理手段は、コード又は読み仮名の区別なく入力を行い、単数又は複数の文字入力毎に、数字又は、文字記号かを、判別し、認識処理する様に構成する。好ましくは、数字、又は文字記号かを判別する為に適合した判別手段を持ち、単数又は複数の文字入力毎に、判別し、その判別に従って、コード又は読み仮名を、認識する様に対応した認識手段を持ち、その認識に従って、数字、文字、記号からなる単数又は複数の集合列群が構築される集合手段を持ち、その集合列群に対応した処理を行い、更に、別の該当処理にも対応可能な集合列処理手段により構成する。上記、選別処理手段は、該当登録データを抽出する為に、項目に対応した登録テーブル群の該当登録テーブルが選定され、該当登録テーブル内の該当データ存在域が選別される様に構成する。好ましくは、項目に対応した登録テーブル群の該当登録テーブルは、上記、集合列群の中の該当集合列群に対応して、登録テーブル群から該当登録テーブルの選定を行うテーブル選定手段により選定され、更に、該当登録テーブルの中の、該当集合列群に対応した該当登録データ存在域を選別するデータ存在域選別手段により選別される様に構成する。上記、支援処理手段は、該当データ存在域の収斂状況を把握し該当データの決定を支援する様に構成する。好ましくは、該当データ存在域の収斂状況を、入力状況の履歴等による類推処理手段や、それに伴う思考過程に対応した思考処理手段等により、把握し、それに対応し、該当データの候補状況等、決定要素を抽出し、決定を支援する決定支援手段により支援する様に構成する。
上記、表示処理手段は、上記、各手段に伴う、単数又は複数のテーブル表示や、グラフ等、入力を支援する表示を行う様に構成する。各手段は、相互に、処理状況に適合する結合が行われる様に構成される。
【実施例１】
【０００７】  以下、図１を参照して、本発明の好適な実施例について詳細に説明する。
即ち、本発明は、情報通信システム１の入力項目の入力において、コード又は、読み仮名の区別なく入力を行い、単数又は複数の文字入力毎に、数字又は、文字記号かを、判別し、それに従い、該当データのコード又は読み仮名かを、認識する認識処理手段２と、該当登録データ３を抽出する為に、項目に対応した登録テーブル群４の該当登録テーブル５が選定され、該当登録テーブル５内の該当データ存在域６が選別される選別処理手段７と、その選別状況に従って、該当データ存在域６の収斂状況を把握し該当データの決定を支援する支援処理手段８と、それを表示する表示処理手段９を持ち処理状況に適合する様、各手段が結合される。
【実施例２】
【０００８】  本発明の他の好適な実施例によれば、上記、変換処理手段は、変換切り替えなく変換する様に構成する。好ましくは、漢字変換等の場合、読み仮名入力後変換切り替え操作を行うことなく、自動的に、適切な漢字が変換される様に構成する。入力に従って、該当データ候補の中から適切な漢字候補が抽出され、更に、適切な漢字が決定される様に、場合により、上記、各手段を組み合わせ、入力が容易となる様に構成する。
【実施例３】
【０００９】  本発明の他の好適な実施例によれば、上記、関連索引処理手段は、該当登録テーブルの関連索引を別に設け関連索引からも該当データ存在域が選別される等、関連索引テーブルの関連索引処理を行う様に構成する。
【実施例４】
【００１０】  本発明の他の好適な実施例によれば、上記、記憶支援処理手段は、関連索引として社会慣習呼称等、一般生活環境に伴う文言等が集合処理される記憶支援処理される様に構成する。
【実施例５】
【００１１】  本発明の他の好適な実施例によれば、上記、関連選別処理手段は、関連索引が文言等の使用状況により選別機能が増進する等、関連選別処理される様に構成する。
【実施例６】
【００１２】  本発明の他の好適な実施例によれば、上記、情報通信システムが、電算機帳票システムである様に構成する。好ましくは、使用者の通常使用伝票等の帳票をそのまま表示し、そのまま入力し、そのまま印刷を可能とすること、即ち、見ているものを、そのまま入手するＷＩＳＩＷＩＧ概念に、対応する様に構成する。
【実施例７】
【００１３】  本発明の他の好適な実施例によれば、上記、情報通信システムが、インターネットである様に、構成する。
【実施例８】
【００１４】  本発明の他の好適な実施例によれば、上記、インターネットにおいてＵＲＬ入力である様に、構成する。
【実施例９】
【００１５】  本発明の他の好適な実施例によれば、上記、情報通信システムの入力がワープロ又は携帯電話である様に、構成する。
【図面の簡単な説明】
【００１６】
【図１】情報通信システムの入力方法の実施方法を示した説明図
【符号の説明】
【００１７】      １  情報通信システム
２  認識処理手段
３  該当登録データ
４  登録テーブル群
５  該当登録テーブル
６  該当データ存在域
７  選別処理手段
８  支援処理手段
９  表示処理手段
【図１】
2005108175.tif 000003